(57)【要約】【課題】支柱本体と支柱を固定するベース部とを、簡易な構造で強固に固定することができる支柱を提供する。【解決手段】設置面に取付けられるベース部４と、該ベース部４から上方に向けて立設される筒状部５と、該筒状部５に外嵌される筒状の支柱本体１とを備えた支柱Ｐであって、前記ベース部４の上面には、筒状部５の外周に沿ってリング状の溝部４３を設けられ、前記支柱本体１が、前記溝部４３に挿入されるとともに、該溝部４３の外縁部に沿って立設されたガイド部６が前記支柱本体１の下端部１１をガイドするように構成する。【選択図】  図６
2015190281.tif 000002
【特許請求の範囲】
【請求項１】
設置面に取付けられるベース部と、該ベース部から上方に向けて立設される筒状部と、該筒状部に外嵌される筒状の支柱本体とを備えた支柱であって、
前記ベース部の上面には、筒状部の外周に沿ってリング状の溝部が設けられ、前記支柱本体が、前記溝部に挿入されるとともに、前記の外縁部には、前記支柱本体の下端部をガイドするガイド部が立設されていることを特徴とする支柱。
【請求項２】
前記ガイド部は、支柱本体の下端部に当接又は圧接されていることを特徴とする請求項１に記載の支柱。
【請求項３】
前記ガイド部は、前記溝部の外縁部において、外縁部に沿って間隔をあけて立設された棒状体であることを特徴とする請求項１又は２に記載の支柱。
【発明の詳細な説明】
【技術分野】
【０００１】
本発明は、住宅、工場、公園等の敷地境界部や隣地境界部に沿って取付けられるフェンスや柵等に関し、特にこれらに用いられる支柱ホルダーに取付けられた支柱に関するものである。
【背景技術】
【０００２】
住宅、工場、公園等の敷地境界部や隣地境界部に沿って取付けられるフェンスにおいて、その支柱を設置する場合は、コンクリート基礎を用いて支柱下端部を埋設するものや、打ち込み装置等を用いて支柱を土面に直接打設するものや、コンクリート面等の上に支柱ホルダーを設置し、その上に支柱を立設させるもの等が用いられている。
【０００３】
例えば、特許文献１には、支柱アンカを介して立設した支柱に取付けられる柵において、前記支柱アンカは、前記支柱の中に納められる中空材と、その中空材の下端部に溶接され、前記土台の上面に固着される台座と、前記中空材の中に固着されている板状のねじ受け部材とからなり、前記中空材は、少なくとも上下２箇所に縦長孔が形成され、前記ねじ受け部材は、前記中空材の内壁面に固着されて前記縦長孔を閉そくし、前記縦長孔を経て前記支柱に貫通したねじがねじ込まれて、その支柱を固定する柵が提案されている。
【先行技術文献】
【特許文献】
【０００４】
【特許文献１】特開２００７−２０４９３９号公報
【発明の概要】
【発明が解決しようとする課題】
【０００５】
しかしながら、前記のような柵においては、支柱を支柱アンカーの鉄鋼製中空材に固定するために、ねじ止めしているため、支柱の下端を強固に固定することが難しかった。
【０００６】
本発明は、前記の如き問題点を解消し、支柱本体と支柱を固定するベース部とを、簡易な構造で強固に固定することができる支柱を提供するものである。
【課題を解決するための手段】
【０００７】
上記目的を達成するために、本発明は次のような構成としている。
すなわちこの発明に係る支柱は、
設置面に取付けられるベース部と、該ベース部から上方に向けて立設される筒状部と、該筒状部に外嵌される筒状の支柱本体とを備えた支柱であって、
前記ベース部の上面には、筒状部の外周に沿ってリング状の溝部が設けられ、前記支柱本体が、前記溝部に挿入されるとともに、前記の外縁部には、前記支柱本体の下端部をガイドするガイド部が立設されていることを特徴とするものである。
【０００８】
前記ガイド部は、支柱本体の下端部に当接又は圧接されるようにしてもよい。
【０００９】
更に、前記ガイド部は、前記溝部の外縁部において、外縁部に沿って間隔をあけて立設された棒状体としてもよい。
【００１０】
本発明に係る支柱は、前記ガイド部を、前記溝部の外縁部において、外縁部に沿って間隔をあけて立設された棒状体としてもよい。
【発明の効果】
【００１１】
本発明によれば、前記支柱本体の下端部がガイド部よってガイドされているので、支柱本体を最下端から安定的に支えることが可能となり、筒状体とをネジやボルト等の固定具を用いて固定する箇所を最小限にしながら、強固に固定することができる。
【００１２】
本発明において、前記構成に加えて、前記ガイド部を支柱本体の下端部に当接又は圧接されるようにすれば、支柱本体の下端部を強固に固定することができる。
【００１３】
また本発明において、前記構成に加えて、前記ガイド部を、前記溝部の外縁部において、外縁部に沿って間隔をあけて立設された棒状体としておけば、支柱本体を溝部に挿入する際、該支柱本体とガイド部との接触面積を最小限に抑えながら、支柱本体の円周方向にわたってガイドすることができるので、支柱本体を効率的にガイドすることができる。
【図面の簡単な説明】
【００１４】
【図１】本発明に係る支柱を用いて設置されたフェンスの一形態を示す正面図である。
【図２】図１の側面図である。
【図３】図１の支柱において用いられた支柱ホルダーの説明図である。
【図４】図３のＡ−Ａ断面における、一部省略の拡大断面図である。
【図５】図１の支柱ホルダー付近の分解説明図である。
【図６】図１の支柱ホルダーに支柱本体を取付けた状態を示す説明図である。
【図７】図６の支柱本体の下端付近の拡大説明図である。
【図８】本発明に係る支柱の他の実施形態を示す分解説明図である。
【図９】図８の支柱ホルダーに支柱本体を取付けた状態を示す説明図である。
【発明を実施するための形態】
【００１５】
次に、本発明を実施するための最良の形態について図面を参照し、具体的に説明する。
【００１６】
図１、図２において、１は支柱本体、２は支柱本体１が固定される支柱ホルダーであって、支柱Ｐは、支柱本体１と支柱ホルダー２とから主に構成され、設置面上に固定される。
【００１７】
支柱本体１は、一般には強度的に安定しておりコストの安い丸パイプ状の鋼管が用いられるが、支柱ホルダー２で固定できる形態であれば多角形状、丸パイプ状の鋼管でもよい。またステンレス合金やアルミニウム合金等の他の金属を用いたものでもよい。かかる支柱Ｐは、本形態では、設置面に適宜間隔をおいて設けられており、そして支柱Ｐの間に格子状のパネル３が連結具３１、中間金具３２を介して取付けられてフェンスＦが形成されている。
【００１８】
パネル３は、一般には、正面視矩形状の金属板や線材を格子状に接合した格子体からなる形態が好適に用いられるが、パネル３の前後で敷地境界部等を明示して、その境界部を容易に乗り越えて侵入できないものであればよい。
【００１９】
すなわち、パネル３は、本形態では、多数の縦線材３３と横線材３４とが格子状に配置され、その交差部で溶接により接合されたものである。縦線材３３及び横線材３４は、一般には強度的に安定しておりコストの安い鋼線が好適に用いられるが、ステンレス合金やアルミニウム合金などの他の金属からなる線材を用いてもよい。また縦線材３３及び横線材３４の耐食性や耐候性を高めるために金属めっきや塗装を施してもよい。
【００２０】
図３、図４は、支柱ホルダーの説明図であって、（ａ）は平面図、（ｂ）は正面図、図４は（ａ）のＡ−Ａ断面図である。支柱ホルダー２は、設置面上に固定されるベース部４と、ベース部４から上方に向けて立設された筒状部５とを有している。まずベース部４は、一般には、鋼板を平面視矩形状に加工したものである。また筒状部５は、ベース部４から上方に向けて立設されたものであって、本形態では、ベース部４の中央部に立設されている。そしてこの筒状部５に支柱本体１が外嵌される。
【００２１】
支柱ホルダー２について、更に詳しく説明すると、本形態では、図４に示すように、ベース部４の中央部に上下方向に貫通する貫通孔４１が設けられ、前記貫通孔４１に筒状部５が挿入され、該筒状部５の下端５１が貫通孔４１の側壁に溶接によって接合されている。これにより、筒状部５の内部に浸入した雨水等は貫通孔４１を通ってベース部４の下方に流すことができる。
【００２２】
支柱ホルダー２は、本形態では、ベース部４に設けた貫通孔４１に筒状部５を挿入して溶接によって接合したものであるが、例えば図示しないが、アルミニウム合金や鋳鉄を用いてもよく、更にベース部４と筒状部５とを一体に形成してもよい。
【００２３】
次に、支柱Ｐについて、図４−７を用いて更に詳しく説明する。図５は図１の支柱ホルダー付近の分解説明図、図６は図１の支柱本体及び支柱ホルダー付近の説明図、図７は図６の支柱本体の下端付近の拡大説明図である。
【００２４】
まず、図５に示すように、支柱ホルダー２のベース部４は、その四隅部に設けられた上下に貫通するアンカー孔４２に固定ボルトＢ１を挿通して設置面に設けられた雌ねじアンカー（図示せず）に締結することによって、設置面上に固定される。本形態では、アンカー孔４２はベース部４の四隅に一個ずつ設けられているが、ベース部４を設置面に強固に固定できればよく、アンカー孔４２の形成数は特に限定されるものではない。またアンカー孔４２は、左右に横長の平面視小判型に形成されており、雌ねじアンカーの僅かな配置ずれ等は、アンカー孔４２によって吸収することができる。
【００２５】
固定ボルトＢ１は、設置面に設けられた雌ねじアンカーに締結されるものであるが、例えば、全ねじボルト等のアンカーボルトを設置面に打設し、該アンカーボルトがベース部４のアンカー孔４２を通って、ナットに締結される形態でもよく、また設置面にドリル等で孔を開け、接着剤入りのカプセルを孔に挿入し、ねじボルト等のアンカーボルトを打ち込んでカプセル中の接着剤と化学反応させて固化する、いわゆるケミカルアンカーを用いてもよい。
【００２６】
ベース部４には、図５に示すように、筒状部５の外周の周りに沿って下方に向けて設けられた平面視リング状の溝部４３が設けられており、支柱本体１の下部を筒状部５に外嵌した際、図６に示すように、支柱本体１の下端部１１を溝部４３内に挿入することができる。すなわち、図７に示すように、溝部４３を形成している両側壁間の寸法Ｒ１は、支柱本体１の下端部１１の寸法Ｒ２より幅広となされている。したがって、支柱本体１の下端縁１２において、設置現場で切断加工した際に生じるバリ等や、支柱本体１を予め工場等で加工した場合のめっきや塗装処理よる液溜まり等による僅かな突出部が生じた場合であっても、支柱本体１の下端部１１を溝部４３内に挿入することができる。
【００２７】
前記溝部４３の外縁部には、図５に示すように、該溝部４３に挿入される支柱本体１の外周面に沿って配置されるガイド部６が設けられている。すなわち、ガイド部６は、溝部４３の外縁部において、該外縁部に沿って間隔をあけて立設されており、本形態においては、それぞれ間隔をあけて四個設けられた棒状体であって、円柱状に形成されている。そして、溝部４３に支柱本体１の下端部１１を挿入する際に、該下端部１１とガイド部６とが接することによって、ガイド部６が下端部１１をガイドしている。これにより、支柱本体１の下端部１１は、溝部４３に挿入した後、ガイド部６によって水平方向にずれにくくなる。
【００２８】
また溝部４３は、本形態では、ベース部４の貫通孔４１の上部が径大となるように平面視リング状に形成された段部４４と、筒状部５の外周壁５２とによって形成されている。更に、筒状部５には、その下端５３から上方に向かって切欠部５４が設けられている。これにより、溝部４３内に流れ込んだ雨水等は該切欠部５４を経て貫通孔４１から外部に排出することができる。
【００２９】
溝部４３に支柱本体１の下端部１１を挿入したときに、支柱本体１の下端縁１２に前述のような僅かな突起が生じていると、ガイド部６と接触するおそれがあるが、その際は、前記下端縁１２をガイド部６に接触させながら下端部１１を溝部４３に圧入してもよく、また支柱本体１を円周方向に回動して接触しない位置で溝部４３に挿入し、その後支柱本体１を再び回動して、所定の位置になるようにしてもよい。いずれの場合も、棒状体であるガイド部６が支柱本体１に接触した際、該ガイド部６の上部が溝部４３の外側に向けて変形できるようにしておけば、該ガイド部６によって支柱本体１の下端部１１を確実にガイドすることができる。
【００３０】
ガイド部６は、本形態では、図４に示すように、溝部４３の外縁部に設けられた有底の孔部４５に挿入されている。ガイド部６を孔部４５に挿入する際、該孔部４５の内壁面に下方に向けて僅かずつ小径となるテーバー面を形成しておけば、ハンマー等で孔部４５にガイド部６を打ち込むことによって、溶接や接着剤等による接合手段を介することなく、孔部４５にガイド部６を固定することができる。また溝部４３に支柱本体１の下端部１１を挿入する際、該下端部１１とガイド部６とが接触しても、ガイド部６は孔部４５の内壁面のテーバー面に沿って外側に向けて倒れやすくなり、更に上記のように接合手段を用いていないので支柱本体１との不必要な干渉が生じることなく、支柱本体１をガイド部６で効率的にガイドすることができる。ガイド部６は支柱本体１をガイドできればよいので、ガイド部６の一部が溝部４３に位置していてもよい。
【００３１】
図６に示すように、支柱本体１は、固定ボルトＢ２を介して筒状部５に固定される。具体的には、筒状部５の外周壁５２には、前記固定ボルトＢ２が螺着されるねじ孔５５が横設されている。一方、支柱本体１には、筒状部５に外嵌した際に、前記ねじ孔５５と同じ高さ位置に透孔１３が設けられている。透孔１３は、ねじ孔５５のねじ部の外径より大径であるので、支柱本体１を筒状部５に外嵌した際に、支柱本体１の高さ方向の僅かな位置ずれ等は、透孔１３によって吸収することができる。
【００３２】
筒状部５のねじ孔５５は同じ高さに一対のみ設けられ、支柱本体１の透孔１３も、前記ねじ孔５５の位置に合わせて一対のみ設けられている。すなわち、支柱本体１の下端部１１は、ガイド部６によってしっかりガイドすることができるので、固定ボルトＢ２が同じ高さに一対のみ設けられていても、しっかり固定することができる。したがって、固定ボルトＢ２のような固定具による固定を最小限に抑えることができる。
【００３３】
図８、９は、本発明に係る支柱の他の実施形態を示す説明図であって、支柱ホルダー付近の部分説明図である。本形態は、図１〜７に示された支柱Ｐと比べて、主にガイド部６の形態が異なるものであり、既に説明した内容と同じ構成要素には同じ符号を付し、その説明は省略する。
【００３４】
本形態に係るガイド部６は、平面視円弧状に形成されており、該ガイド部６の内壁面に支柱本体１の下端部１１が接触あるいは圧接されることによって、該支柱本体１の下端部１１をガイドするものである。本形態では、ガイド部６は、溝部４３の外縁部に相対向して二個設けられており、二個にガイド部６の間に支柱本体１の下端部１１が配置されている。
【産業上の利用可能性】
【００３５】
本発明は、支柱ホルダーに支柱本体を強固に固定することができるので、支柱間に格子パネルや板状パネル等を取付けるフェンスの支柱や、そのフェンスで用いられる門扉の門柱のための支柱ホルダーとしてのみではなく、柵や車両止め等に用いられる支柱や支柱間にビーム材を架設した柵のための支柱ホルダーとしても好適に用いることができる。
【符号の説明】
【００３６】
１    支柱本体
１１  下端部
１２  下端縁
１３  透孔
２    支柱ホルダー
３    パネル
３１  連結具
３２  中間金具
３３  縦線材
３４  横線材
４    ベース部
４１  貫通孔
４２  アンカー孔
４３  溝部
４４  段部
４５  孔部
５    筒状部
５１  下端
５２  外周壁
５３  下端
５４  切欠部
５５  ねじ孔
６    ガイド部
Ｂ１  固定ボルト
Ｂ２  固定ボルト
Ｆ    フェンス
Ｐ    支柱
Ｒ１  寸法
Ｒ２  寸法
【図１】
2015190281.tif 000003
【図２】
2015190281.tif 000004
【図３】
2015190281.tif 000005
【図４】
2015190281.tif 000006
【図５】
2015190281.tif 000007
【図６】
2015190281.tif 000008
【図７】
2015190281.tif 000009
【図８】
2015190281.tif 000010
【図９】
2015190281.tif 000011